(57)【要約】【課題】携帯電話等の移動体通信用の無線機に使用されるアンテナに関し、静電気対策を施した導電性キャップ付きのアンテナを得ることを目的とする。【解決手段】アンテナ素子１１を保持するコア部１２において、アンテナ素子１１の上方の端部１１Ａと導電性のキャップ１４との間の上部位置に凹部１２Ａを設け、その凹部１２Ａに対応する絶縁性のカバー１５の内面位置に設けた凸部１５を嵌め込む構成として、静電気対策を講じたものとする。【選択図】  図１
2004328211.tif 000002
【特許請求の範囲】
【請求項１】
アンテナ素子と、このアンテナ素子の外周を覆う絶縁性の筒状部と、上記筒状部の上端に結合される導電性のキャップとを備え、上記キャップの下方部分と上記アンテナ素子の上部との間の位置に、静電気対策構造を備えたアンテナ。
【請求項２】
アンテナ素子が、絶縁性のコア部に固定されたコイル状で、静電気対策構造として、上記コア部の上部に構成された凹部に、筒状部の内面に設けられた凸部が嵌め込まれている請求項１記載のアンテナ。
【請求項３】
筒状部が、インサート成形によって構成された請求項２記載のアンテナ。
【発明の詳細な説明】
【０００１】
【発明の属する技術分野】
本発明は、主として携帯電話等の移動体通信用の無線機に使用されるアンテナに関するものである。
【０００２】
【従来の技術】
近年、携帯電話等の移動体通信用の無線機に対する需要が急激に高まり、文字情報等のサービスが多様化するに伴い、無線機に求められる性能も厳しくなってきており、それに付随して無線機に搭載されているアンテナも小型軽量化、高感度対応や、広帯域化等が要望されている。
【０００３】
このような従来の無線機に搭載されているアンテナについて、図３を用いて説明する。
【０００４】
図３は従来のアンテナの断面図であり、同図において、１は銅線や銅合金板材などの導電材料からなるコイル状に構成されたアンテナ素子である。
【０００５】
このアンテナ素子１は、ＡＢＳなどの絶縁性樹脂からなるコア部２により所定ピッチを維持するようにして保持されている。
【０００６】
そして、コア部２の下部には、下方にネジ部を有する金属製の給電金具３が結合されており、上記アンテナ素子１と給電金具３とは電気的に接続されている。
【０００７】
また、コア部２の上端部には、金属製もしくは絶縁性樹脂に金属メッキが施されて構成された見栄えのよい導電性のキャップ４が装飾部品として固着されている。
【０００８】
そして、５は、ＡＢＳなどの絶縁性樹脂からなる筒状のカバーであり、アンテナ素子１およびコア部２の外周を覆うと共に、その上下端部が、各々キャップ４と給電金具３に固着されている。
【０００９】
以上のように構成される従来のアンテナ６は、完成状態では、側面視で略砲弾形状をなしている。
【００１０】
そして、上記従来のアンテナ６は、使用機器である無線機（図示せず）に搭載する際に、給電金具３のネジ部を無線機内部に配された金属製のナット（図示せず）に締め込むことによって、無線機に対し機械的かつ電気的に装着接続される。
【００１１】
この搭載状態で、アンテナ素子１で誘起される高周波電流は、給電金具３、金属製のナットを経て無線機内部に配置された所定の回路部に流れるようになり、これによって、無線機としてアンテナ６を介し情報の送受信ができるようになるものであった。
【００１２】
なお、この出願の発明に関連する先行技術文献情報としては、例えば、特許文献１が知られている。
【００１３】
【特許文献１】
特開平４−１３４９０６号公報
【００１４】
【発明が解決しようとする課題】
しかしながら上記従来のアンテナ６においては、人が無線機を握った際、人体に帯電した静電気が無線機内部の回路を経て給電金具３およびアンテナ素子１へ伝達されることもあり、この時、アンテナ素子１上部と導電性のキャップ４下方部分との間隔が狭いと、アンテナ素子１に通じた静電気がコア部２とカバー５との界面を伝わってキャップ４から放電する結果、過大な電流が流れ無線機内部のＩＣなどを破損する可能性があることも考慮され、アンテナ素子１上部と導電性のキャップ４下方部分間の間隔としては、一定以上の設定寸法が必要で、アンテナ６の小型化の阻害要因ともなっていた。
【００１５】
本発明は、このような従来の課題を解決するものであり、静電気対策を施した導電性のキャップ付きの小型なアンテナを提供することを目的とする。
【００１６】
【課題を解決するための手段】
上記目的を達成するために本発明は、以下の構成を有するものである。
【００１７】
本発明の請求項１に記載の発明は、アンテナ素子と、このアンテナ素子の外周を覆う絶縁性の筒状部と、上記筒状部の上端に結合される導電性のキャップとを備え、上記キャップの下方部分と上記アンテナ素子の上部との間の位置に、静電気対策構造を備えたアンテナとしたものであり、アンテナ素子に流入する静電気が、静電気対策構造の作用でキャップに伝達され難くなり、かつキャップから流入する静電気もアンテナ素子に飛び難くなるため、アンテナ素子に繋がる使用機器の配線基板などへの静電気の影響も低減できるという作用を有する。
【００１８】
請求項２に記載の発明は、請求項１記載の発明において、アンテナ素子が、絶縁性のコア部に固定されたコイル状で、静電気対策構造として、上記コア部の上部に構成された凹部に、筒状部の内面に設けられた凸部が嵌め込まれているものであり、簡単な構造で、沿面距離を長くするとともに凸部が遮蔽部の役目をするのでアンテナ素子とキャップ間での直線状の放電を低減でき、安価で静電気対策が施された高品質のキャップを備えた小型なアンテナが実現できるという作用を有する。
【００１９】
請求項３に記載の発明は、請求項１記載の発明において、筒状部が、インサート成形によって構成されたものであり、インサート成形で筒状部を構成すると、筒状部とコア部との密着度合いが向上するため、より静電気の導電路を塞いだものとすることができるという作用を有する。
【００２０】
【発明の実施の形態】
以下、本発明の実施の形態について、図１、図２を用いて説明する。
【００２１】
（実施の形態）
図１は本発明の一実施の形態によるアンテナの断面図であり、同図において、１１は銅線や銅合金板材などの導電材料からなるコイル状に構成されたアンテナ素子、１２はアンテナ素子１１を所定ピッチを維持して保持するＡＢＳなどの絶縁性樹脂からなる棒状のコア部で、そのコア部１２の下部にネジ部を有する金属製の給電金具１３が結合され、アンテナ素子１１と給電金具１３とは電気的に接続されている。
【００２２】
そして、コア部１２の上端部には、金属製もしくは絶縁性樹脂に金属メッキが施されて構成された見栄えのよい導電性のキャップ１４が装飾部品として固着されている。
【００２３】
上記のアンテナ素子１１およびコア部１２の外周部分は、ＡＢＳなどの絶縁性樹脂からなる円筒部としてのカバー１５で被覆され、カバー１５の上下端部は、各々キャップ１４と給電金具１３に固着されている。
【００２４】
そして、コア部１２には、アンテナ素子１１の上方の端部１１Ａとキャップ１４の下方部分との間の上部位置に、凹部１２Ａが設けられ、また、その凹部１２Ａに対応するカバー１５の内面位置には凸部１５Ａが設けられており、上記凹部１２Ａに凸部１５Ａが嵌め込まれて本実施の形態によるアンテナ１６は構成されている。
【００２５】
以上のように構成される本実施の形態による外形略砲弾状のアンテナ１６は、給電金具１３のネジ部を無線機（図示せず）内部に配された金属製のナット（図示せず）に締め込むことによって機械的かつ電気的に無線機に装着される。
【００２６】
この搭載状態で、アンテナ素子１１で誘起される高周波電流は、給電金具１３、金属製のナットを経て無線機内部に配置された所定の回路部に流れ、これにより、無線機としてアンテナ１６を介し情報の送受信が可能となるものである。
【００２７】
そして、本実施の形態によるアンテナ１６は、アンテナ素子１１の上方の端部１１Ａとキャップ１４の下方部分との間のコア部１２の上部位置に設けた凹部１２Ａに対し、カバー１５の内面に設けた凸部１５Ａを嵌め込んだ構成であるため、機構的にアンテナ素子１１とキャップ１４との導電性部材間の沿面距離が長く構成され、アンテナ素子１１とキャップ１４間での直線状の放電をなくせて、その凸部１５Ａがアンテナ素子１１とキャップ１４との間の遮蔽部の役目をするようになる。
【００２８】
この凹凸の嵌め合い構造としたために、人体に帯電した静電気が無線機の内部の回路を経て給電金具１３からアンテナ素子１１へ流れてもキャップ１４まで伝わりにくく、簡単な構造で静電気対策が図られたキャップ１４を有する装飾性に優れた高品質のアンテナ１６を安価に実現できる。
【００２９】
そして、反対に外装のキャップ１４側から流入する静電気もアンテナ素子１１に飛び難くなるため、アンテナ素子１１に繋がる使用機器への配線基板などの対する静電気の影響も低減できる。
【００３０】
なお、上述のようにアンテナ１６における静電気の影響が低減できるため、アンテナ素子１１とキャップ１４との導電性部材間の配置距離も低減してアンテナ１６の外形を小型化することも可能となる。
【００３１】
また、筒状部であるカバー１５を形成する方法として、コイル状のアンテナ素子１１を外周に配した棒状のコア部１２を成形金型にセットして、絶縁性樹脂でインサート成形してカバー１５を形成することにより、コア部１２の凹部１２Ａとカバー１５の凸部１５Ａとの密着度合いが向上するので、より静電気の導電路が塞がれた確実な静電気対策が図られたものに安価にできる。
【００３２】
なお、コア部１２の凹部１２Ａとカバー１５の凸部１５Ａとを逆転させて、コア部１２側に凸部、カバー１５側に凹部を設けたもの、あるいは凹凸部を双方それぞれに設けて嵌め合わせるようにしても、アンテナ素子１１とキャップ１４との沿面距離を長くすることができるので同様な静電気対策効果が得られる。
【００３３】
また、本実施の形態では、コア部１２の凹部１２Ａおよびカバー１５の凸部１５Ａは、一部分に設けたもので説明したが、図２に示すように、コア部２１の棒状の外周面全面に凹部２１Ａおよびそれに対応するカバー２２の内周面の全周に凸部２２Ａを設けたアンテナ２３としても同様の効果が得られる。
【００３４】
さらに、静電気対策構造としては、上記に説明した構造以外であってもよく、導電性の見栄えのよいキャップを備えたアンテナにおいて、当該キャップとアンテナ内に保持してあるアンテナ素子の間に絶縁性を拡充するための構造を備えたものは本発明の範疇に入り、また、アンテナ素子などの形状もコイル状に限定されることはなく、さらに、その他の部材構成も上記説明以外のものであってもよい。
【００３５】
【発明の効果】
以上のように本発明によれば、簡単な構造で静電気対策が図れた導電性キャップ付きのアンテナを得ることができるという有利な効果が得られる。
【００３６】
また、アンテナ素子と導電性のキャップとの導電性部材間の配置距離も低減できる分、アンテナの小型化にも寄与できる。
【図面の簡単な説明】
【図１】本発明の一実施の形態によるアンテナの断面図
【図２】同他の構成形態のアンテナの断面図
【図３】従来のアンテナの断面図
【符号の説明】
１１  アンテナ素子
１１Ａ  端部
１２，２１  コア部
１２Ａ，２１Ａ  凹部
１３  給電金具
１４  キャップ
１５，２２  カバー
１５Ａ，２２Ａ  凸部
１６，２３  アンテナ
【図１】
2004328211.tif 000003
【図２】
2004328211.tif 000004
【図３】
2004328211.tif 000005